(57)【特許請求の範囲】
【請求項１】
主幹開閉器と、主幹開閉器の負荷側に接続される複数の導電バーと、導電バー長手方向に略直交する方向の導電バーを挟んだ両側で、導電バー長手方向に沿って並設され、前記複数の導電バーのうち何れか少なくとも２つに接続する分岐開閉器とを備えた住宅分電盤内に配設される住宅分電盤用電気機器であって、主幹開閉器の負荷側に流れる電流に応じて所望の動作を行う回路部を収納して、長手方向を前記導電バー長手方向と略直交させて配置される器体と、器体の長手方向に沿った側面から長手方向略中央に隙間を空けて前記側面と略垂直な方向の外側に膨出させた２つの膨出部と、器体の長手方向に沿った側面の前記隙間から突設され、前記複数の導電バーのうちの何れか少なくとも２つにそれぞれ各別に接続される端子と、主幹開閉器の負荷側に流れる電流を検知する電流検知手段と、器体表面の長手方向に沿って並設された複数の発光素子とを備え、回路部は電流検知手段の検知結果に応じて前記複数の発光素子を明滅させて主幹開閉器の通電状態を表示するものであって、電流検知手段の検知結果から主幹開閉器の負荷側に流れる電流の値を把握し、複数の発光素子のうち、前記電流の値の基準電流値に対する割合に応じた個数分だけ発光させるとともに、操作部が操作されることにより前記基準電流値を可変する設定手段を備え、前記操作部を複数の発光素子に対して器体の長手方向に沿って並設したことを特徴とする住宅分電盤用電気機器。
【請求項２】
器体は、複数の導電バーがその長手方向が天井面と略平行な方向に沿うように壁面に取着される住宅分電盤内に配設され、設定手段の操作部を端子よりも導電バーの長手方向と略直交する方向における床側に配設したことを特徴とする請求項１記載の住宅分電盤用電気機器。
【請求項３】
設定手段の操作部を複数の発光素子よりも導電バーの長手方向と略直交する方向における床側に配設したことを特徴とする請求項２記載の住宅分電盤用電気機器。
【請求項４】
請求項１〜３の何れかに記載の住宅分電盤用電気機器を備えた住宅分電盤であって、主幹開閉器と、主幹開閉器の負荷側に接続される複数の導電バーと、導電バー長手方向に略直交する方向の導電バーを間に挟んだ両側で、導電バー長手方向に沿って並設され、前記複数の導電バーのうち何れか少なくとも２つに接続する分岐開閉器と、前記各開閉器及び複数の導電バー並びに住宅分電盤用電気機器を収納配設する一面を開口した箱体と、前記各開閉器の操作ハンドルを露出させる窓孔、住宅分電盤用電気機器の少なくとも発光素子を露見させる表示孔を有して箱体の開口面に取着されるカバーとを備えたことを特徴とする住宅分電盤。
【発明の詳細な説明】
【０００１】
【発明の属する技術分野】
本発明は、住宅分電盤内に配設されて複数の導電バーのうちの少なくとも２本に接続される住宅分電盤用電気機器及びこれを備えた住宅分電盤に関するものである。
【０００２】
【従来の技術】
近年、主幹開閉器と、主幹開閉器の負荷側に接続される複数の導電バーと、導電バー長手方向に沿って並設され、導電バーに接続する分岐開閉器と、雷サージから負荷を保護したり、主幹開閉器に電流が流れているか否かを表示したりする住宅分電盤用電気機器（以下「電気機器」と略す）とを備えた住宅分電盤が提供されている。
【０００３】
従来の電気機器には、導電バーから離れた位置に設けられた収納スペースに配設され、リード線を介して導電バーに接続されることにより主幹開閉器の負荷側から電源供給を受けるものがある。
【０００４】
しかし、上記従来の電気機器を住宅分電盤に配設するには、上述のように導電バーから離れた位置に収納スペースを設ける関係上、住宅分電盤の寸法を大きくしなければならなかった。さらに、導電バーにリード線を介して接続するため、リード線の引き回しが困難、且つ、複数の導電バーと複数のリード線の接続関係が分かり難くなるという問題があった。
【０００５】
そこで本出願人は、図１１に示すように、３個以上の分岐開閉器６０が配設可能な住宅分電盤に、隣合う２つの分岐開閉器６０が配設されるスペースを利用して配置されて導電バー６１に接続される電気機器Ａ’を提案している（特開平１０−２５７６１７号公報参照）。これにより住宅分電盤に専用の収納スペースを設けて寸法を大きくする必要がなくなるとともに、導電バー６１に対して接続し易くなる。
【０００６】
【発明が解決しようとする課題】
しかしながら、上記従来例では、２つの分岐開閉器６０の代わりに電気機器Ａ’を配設しているので、導電バー６１を間に挟んだ両側において並設される分岐開閉器６０の数が異なることとなり、負荷バランスを合わせ難いという問題があった。
【０００７】
本発明は、かかる事由に鑑みて成されたものであり、その目的とするところは、住宅分電盤の小型化を容易にし、且つ住宅分電盤の負荷バランスを合わせ易い住宅分電盤用電気機器及びこれを備えた住宅分電盤を提供する。
【０００８】
【課題を解決するための手段】
上記目的を達成するために、請求項１の発明は、主幹開閉器と、主幹開閉器の負荷側に接続される複数の導電バーと、導電バー長手方向に略直交する方向の導電バーを間に挟んだ両側で、導電バー長手方向に沿って並設され、前記複数の導電バーのうち何れか少なくとも２つに接続する分岐開閉器とを備えた住宅分電盤内に配設される住宅分電盤用電気機器であって、主幹開閉器の負荷側に流れる電流に応じて所望の動作を行う回路部を収納して、長手方向を前記導電バー長手方向と略直交させて配置される器体と、器体の長手方向に沿った側面から長手方向略中央に隙間を空けて前記側面と略垂直な方向の外側に膨出させた２つの膨出部と、器体の長手方向に沿った側面の前記隙間から突設され、前記複数の導電バーのうちの何れか少なくとも２つにそれぞれ各別に接続される端子と、主幹開閉器の負荷側に流れる電流を検知する電流検知手段と、器体表面の長手方向に沿って並設された複数の発光素子とを備え、回路部は電流検知手段の検知結果に応じて前記複数の発光素子を明滅させて主幹開閉器の通電状態を表示するものであって、電流検知手段の検知結果から主幹開閉器の負荷側に流れる電流の値を把握し、複数の発光素子のうち、前記電流の値の基準電流値に対する割合に応じた個数分だけ発光させるとともに、操作部が操作されることにより前記基準電流値を可変する設定手段を備え、前記操作部を複数の発光素子に対して器体の長手方向に沿って並設したことを特徴とし、器体の長手方向が導電バー長手方向と略直交し、端子が導電バーの長手方向一端に直接接続されるように器体を配置することによって、従来例のように導電バーから離れた位置に収納スペースを設けることなく住宅分電盤に収納することができ、住宅分電盤における少なくとも導電バー長手方向の小型化を容易にすることができるとともに、端子と導電バーとを直接接続して器体を導電バーに固定することによって、端子と導電バーの電気的な接続と器体の固定を同時に行え、且つ従来例のようにリード線を引き回すことがなく、複数の端子と導電バーとの接続関係も分かり易くなる為、施工性を向上することができ、さらに従来例のように分岐開閉器が配設されるスペースに配置され、導電バーを間に挟んだ両側で分岐開閉器の数を異ならせることがないので、住宅分電盤の負荷バランスを合わせ易くすることができる。また、複数の発光素子の明滅から主幹開閉器の通電状態を容易に視認することができるとともに、複数の発光素子を器体の長手方向に沿って並設したことによって、器体の短手方向の幅が大きくなるのを防ぎ、その結果、住宅分電盤における導電バーの長手方向の大型化を避けることができる。さらに、例えば操作部を操作して設定手段により基準電流値を主幹開閉器の定格電流値とすることで、複数の発光素子を見て発光している個数から主幹開閉器に流れる電流値を定格電流値に対する割合で容易に把握することができるとともに、操作部を複数の発光素子に対して器体の長手方向に沿って並設したことによって、器体の短手方向の幅が大きくなるのを防ぎ、その結果、住宅分電盤における導電バー長手方向の大型化を避けることができる。
【０００９】
請求項２の発明は、請求項１の発明において、器体は、複数の導電バーがその長手方向が天井面と略平行な方向に沿うように壁面に取着される住宅分電盤内に配設され、設定手段の操作部を端子よりも導電バーの長手方向と略直交する方向における床側に配設したことを特徴とし、住宅分電盤を壁面における天井側の高い部位に取着したときにも、操作部を容易に操作することができる。
【００１０】
請求項３の発明は、請求項２の発明において、設定手段の操作部を複数の発光素子よりも導電バーの長手方向と略直交する方向における床側に配設したことを特徴とし、操作部を操作するときにも、操作する手で複数の発光素子が隠れる虞が少なく、複数の発光素子の明滅から主幹開閉器の通電状態を容易に視認することができる。
【００１１】
請求項４の発明は、請求項１〜３の何れかに記載の住宅分電盤用電気機器を備えた住宅分電盤であって、主幹開閉器と、主幹開閉器の負荷側に接続される複数の導電バーと、導電バー長手方向に略直交する方向の導電バーを間に挟んだ両側で、導電バー長手方向に沿って並設され、前記複数の導電バーのうち何れか少なくとも２つに接続する分岐開閉器と、前記各開閉器及び複数の導電バー並びに住宅分電盤用電気機器を収納配設する一面を開口した箱体と、前記各開閉器の操作ハンドルを露出させる窓孔、住宅分電盤用電気機器の複数の発光素子を露見させる表示孔を有して箱体の開口面に取着されるカバーとを備えたことを特徴とし、カバーを取り外すことなくカバーの表示孔から複数の発光素子を見ることができ、複数の発光素子の明滅から主幹開閉器の通電状態を容易に視認することができる。
【００１２】
【発明の実施の形態】
（実施形態１）
本実施形態の住宅分電盤は、図１に示すように、略矩形箱状の筐体３０と、筐体３０内部に収納される開閉器ブロック４０とからなる。
【００１３】
筐体３０は、開閉器ブロック４０が収納配設される一面を開口した箱体たるボディ３０ａと、ボディ３０ａの開口面に取着されるカバー３０ｂとで構成される。
【００１４】
開閉器ブロック４０は、負荷側に電圧極となる２つの端子４１ｂ，４１ｄ、中性極となる１つの端子４１ｃを具備する主幹開閉器４１と、主幹開閉器４１の各負荷側端子４１ｂ，４１ｃ，４１ｄに接続される３本の導電バー１と、導電バー１長手方向に略直交する方向における導電バー１を間に挟んだ両側で、導電バー１長手方向に沿って並設され、３つの導電バー１に電源側端子が接続する複数の分岐開閉器４２と、一次送り開閉器４３と、導電バー１に接続され、主幹開閉器４１の負荷側に流れる電流の大きさを表示する住宅分電盤用電気機器（以下「電気機器」と略す）Ａと、前記各開閉器４１，４２，４３が取り付けられる全体的に略平板状の取付部材４４と、例えば電流制限器を配設するための木板が取着される一面を開口した略矩形箱状の木板取付部４５と、前記取付部材４４及び木板取付部４５をボディ３０ａに取り付けるための取付台４６とを備えている。
【００１５】
一次送り開閉器４３は、各需要家内に設けられた火災報知器や消火設備等の非常用機器への電源を確保できるように設けた非常電源系に挿入されるものであり、電源側端子が主幹開閉器４１の電源側端子に送り線３，３（図６参照）を介して電気的に接続されている。
【００１６】
電気機器Ａは、図２及び図３に示すように、スピーカー（図示せず）と、通電状態を表示する例えば発光ダイオードなどの複数の発光素子１３ａからなる表示部１３と、電流を検知するコイルからなる２つの電流検知器１２と、２つの電流検知器１２から電線１２ａを介して出力される電流検知信号に応じて表示部１３及びスピーカーを制御する複数の電気部品から成る制御回路ブロック（図示せず）と、操作することにより制御回路ブロックに所定の動作を指示する操作信号を出力する操作部たる２つの操作スイッチ１５ａ，１５ｂと、同様に操作することにより制御回路ブロックの動作に必要な設定条件を可変とする操作部たる２つの設定スイッチ１６ａ，１６ｂと、制御回路ブロックを収納する器体１０と、器体１０から外部に突出して、３つの導電バー１のうち２つにそれぞれ各別に接続され、各導電バー１を内部の制御回路ブロックに電気的に接続する２つの端子片１１とを備えている。
【００１７】
器体１０は、略細長矩形箱状に形成された主部１０ａと、主部１０ａの長手方向に沿った一面から長手方向略中央に隙間を空けて前記一面と略垂直な方向の外側に膨出させた２つの略矩形状の膨出部１０ｂとからなる。２つの端子片１１は、主部１０ａ長手方向に沿った側面における膨出部１０ｂ，１０ｂとの間に位置する部位から突出する。また、上述の表示部１３の複数の発光素子１３ａおよび操作スイッチ１５ａ，１５ｂ並びに設定スイッチ１６ａ，１６ｂは、主部１０ａの膨出部１０ｂが形成された面と隣合う操作表示面１０ｃにおける一方の膨出部１０ｂ側に、主部１０ａ長手方向に沿って一列に並設される。そして、この操作表示面１０ｃ長手方向の表示部１３等と反対側には、複数個の貫通孔１７が設けられており、上述のスピーカーは、器体１０の複数個の貫通孔１７が設けられた部位の内側に配設される。
【００１８】
電流検知器１２は、図４に示すように、主幹開閉器４１から導電バー１への電流流路周辺に配置されることで、主幹開閉器４１から負荷側の導電バー１に流れる電流を検知し、この電流の大きさに応じた電流検知信号を出力する。
【００１９】
制御回路ブロックは、端子片１１が導電バー１に接続されることで、導電バー１及び端子片１１を介して主幹開閉器４１側から供給される電力を電源として動作し、上述の電流検知信号が入力されると、この電流検知信号から主幹開閉器４１の負荷側に流れる電流の値を把握し、表示部１３の複数の発光素子１３ａのうち、前記電流の値の基準電流値に対する割合に応じた個数分だけ発光させる。また、制御回路ブロックは、上述の基準電流値を可変する設定手段を備えており、ロータリー式のスイッチである設定スイッチ１６ａを回動することで前記設定手段に基準電流値を可変させる。例えば、表示部１３の発光素子１３ａが５個であり、このときに設定スイッチ１６ａを回動して基準電流値を６０［Ａ］に設定したときに、制御回路ブロックが主幹開閉器４１から負荷側に流れる電流の値が３６［Ａ］であると把握した場合には、一列に並んだ５個の発光素子１３ａのうち端から３個の発光素子１３ａを発光させるのである。
【００２０】
このように、電気機器Ａの明滅される表示部１３を見ることによって、主幹開閉器４１から負荷側の導電バー１に流れる電流の値がどの程度であるかを容易に把握することができる。また、基準電流値を主幹開閉器４１の定格電流値に設定したときには、事前に負荷側に流れる電流の値が定格電流値に近付いていることを知ることができ、主幹開閉器４１のトリップを避けることができるのである。
【００２１】
また、操作スイッチ１５ｂを操作すると、制御回路ブロックに操作信号が出力されて、制御回路ブロックはこの操作信号によりスピーカーを鳴らして設定スイッチ１６ａで設定されている基準電流値を例えば音声で周囲の人に知らしめ、これにより使い勝手を向上している。さらに、制御回路ブロックは、主幹開閉器４１の負荷側に流れる電流の値が基準電流の値に近付いたと判別したときには、スピーカーから警報音を鳴すので、周囲の人は表示部１３を見ていない状況であっても、前記警報音から主幹開閉器４１がトリップする寸前であることを知ることができる。
【００２２】
またさらに、制御回路ブロックは、上述のように表示部１３とスピーカーを正常に制御しているか否かを判別するテスト機能を有している。操作スイッチ１５ａを操作すると、電流検知器１２からの電流検知信号に関わらず、スライド式の設定スイッチ１６ｂで設定された模擬信号が制御回路ブロックに入力され、制御回路ブロックは、電流検知信号の代わりにこの模擬信号によりテストされるのである。また、設定スイッチ１６ｂは、スライドする位置に応じ、主幹開閉器４１の負荷側の電流の値が小さい場合と、大きい場合のそれぞれに対応した２種類の模擬信号を出力する。これにより、テスト機能の信頼性を高めている。
【００２３】
なお、電気機器Ａの器体１０の操作表示面１０ｃ側には、操作されることにより、導電バー１から制御回路ブロックに過電流が流れないように電流量を制限するリミットスイッチ１６ｃが設けられている。
【００２４】
ここで、開閉器ブロック４０における上述の電気機器Ａの器体１０、各開閉器４１，４２，５３、取付部材４４、木板取付部４５、取付台４６、導電バー１は、図５及び図６に示すように、それぞれ一体に接続した形で筐体３０内に配置される。
【００２５】
取付部材４４の前面側には、各開閉器４１，４２，４３がそれぞれの操作ハンドル４１ａ，４２ａ，４３ａを前方側に向けて載置される。一次送り開閉器４３は、取付部材４４の一端側の側辺に沿うように配置され、主幹開閉器４１が一次送り開閉器４３に隣接するように配置される。主幹開閉器４１の一次送り開閉器４３と反対側には、３本の導電バー１がそれぞれの長手方向を主幹開閉器４１と一次送り開閉器４３の配列方向に沿わせて取付部材４４の略中央部に配設される。なお、各導電バー１の主幹開閉器４１側の一端と主幹開閉器４１の各負荷側端子４１ｂ，４１ｃ，４１ｄは、それぞれ他の導電バー１ａで接続されている。このような接続は、主幹開閉器４１の各負荷側端子４１ｂ，４１ｃ，４１ｄ及び導電バー１の端部に、導電バー１ａの各端部を重ねて、端子ねじ２ａ及び固定ねじ２ｂによりねじ止めされ固定される。そして分岐開閉器４２が、上述のように、導電バー１長手方向に略直交する方向における導電バー１を間に挟んだ両側で、導電バー１長手方向に沿って複数個づつ並設される。
【００２６】
取付部材４４における一次送り開閉器４３側の側辺部は、取付台４６の前面に載置され、前記側辺部の両端側に形成されただるま孔状のねじ挿通孔４４ａに固定ねじ２ｃを挿通し取付台４６前面のねじ孔４６ａに螺着することで、取付部材４４と取付台４６とが固定される。
【００２７】
そして、取付台４６の取付部材４４と反対側に木板取付部４５が配置される。取付台４６に木板取付部４５を取り付けるときには、木片取付部４５の取付台４６側の周壁４５ａから突出する２つの引掛突起４５ｂを、取付台４６の側面に設けられた取付孔４６ｂの幅広部４６ｂ’から挿入し、木板取付部４５を図５における下方側に動かす。これにより、引掛突起４５ｂが取付孔４６ｂの幅狭部４６ｂ”に移動し、引掛突起４５ｂが取付台４６の幅狭部４６ｂ”周辺に引掛係止し、木板取付部４５が取付台４６に固定される。
【００２８】
ここで電気機器Ａの器体１０は、長手方向を導電バー１の長手方向と略直交させ、導電バー１長手方向の主幹開閉器１０と反対側の一端付近に配置され、器体１０の操作表示面１０ｃを前面側に向けた状態で、端子片１１が導電バー１の前記一端に接続される。端子片１１と導電バー１との接続は、それぞれに設けられたねじ挿通孔１１ｄに、取付ねじ２を挿通し取付部材４４に螺着することにより行われ、これにより、端子片１１と導電バー１が電気的に接続されるとともに、器体１０が導電バー１及び取付部材４４に固定される。
【００２９】
一方、筐体３０のボディ３０ａは、略矩形枠状の底板３１の外周縁に沿って略垂直に周壁３２が突設されて成る。ボディ３０ａの底板３１略中央には内部に電線を挿通する略矩形状の電線挿通孔３３が形成され、底板３１における電線挿通孔３３周辺の互いに略対向する一方の部位には、開閉器ブロック４０を支持して固定するための１対の支持台３４ａ，３４ａが設けられ、他方の部位にも同様の支持台３４ｂ，３４ｂが設けられている。
【００３０】
上述のように配置構成された開閉器ブロック４０は、図６に示すように、ボディ３０ａの底板３１に設けられた上述の支持台３４ａ，３４ｂに、各開閉器４１，４２，４３を底板３１と反対側に向けて載置され、固定ねじ２ｄによりねじ止めされて固定される。
【００３１】
また、カバー３０ｂは、図７に示すように、開閉自在に設けられた外蓋３５と、外蓋３５を開いた状態で主幹開閉器４１の操作ハンドル４１ａを露出させる窓孔３６ａ、分岐開閉器４２の操作ハンドル４２ａを露出させる窓孔３６ｂ、一次送り開閉器４３の操作ハンドル４３ａを露出させる窓孔３６ｃ、電気機器Ａの器体１０の操作表示面１０ｃにおける複数の貫通孔１７を露出させる窓孔３６ｄ、表示部１３を露見させるとともに操作スイッチ１５ａ，１５ｂ及び設定スイッチ１６ａ，１６ｂを露出させる表示孔３６ｅを有する中蓋３６とを備えている。これにより、カバー３０ｂをボディ３０ａに取り付けたときでも、カバー３０ｂを外すことなく外蓋３５を開けることで表示孔３６ｅから表示部１３を見ることができ、表示部１３の明滅から主幹開閉器４１の通電状態を容易に視認することができる。
【００３２】
上述のような住宅分電盤は、導電バー１が天井面と略平行な方向に沿うように壁面の天井側に配設され、上述のように配設したときには、電気機器Ａの設定スイッチ１６ａ，１６ｂ及び操作スイッチ１５ａ，１５ｂ並びに表示部１３が、導電バー１よりも下方側に位置する。これにより、各スイッチ１５ａ，１５ｂ，１６ａ，１６ｂに手が届き易くなって容易に操作設定することができ、さらに表示部１３を見易くすることができる。
【００３３】
本実施形態の電気機器Ａは、上述のように、器体１０の長手方向を導電バー１長手方向と略直交させて、端子片１１を導電バー１の長手方向一端にねじ止めして配置されることによって、従来例のように導電バー６１から離れた位置に収納スペースを設けることなく住宅分電盤に収納することができ、住宅分電盤における導電バー１長手方向の小型化を容易にすることができる。さらに、端子片１１と導電バー１とをねじ止めして器体１０を導電バー１に固定することによって、端子片１１と導電バー１の電気的な接続と器体１０の固定を同時に行え、且つ従来例のようにリード線を引き回すことがなく、複数の端子片１１と導電バー１との接続関係も分り易くなる為、施工性を向上することができる。また、従来例の電気機器Ａ’のように分岐開閉器６０が配設されるスペースに配置され、導電バー６１を間に挟んだ両側で分岐開閉器６０の数を異ならせることがないので、住宅分電盤の負荷バランスを合わせ易くすることができる。
【００３４】
さらに、電気機器Ａの操作スイッチ１５ａ，１５ｂおよび設定スイッチ１６ａ，１６ｂ並びに表示部１３の複数の発光素子１３ａを器体１０の操作表示面１０ｃの長手方向に沿って一列に並設しているので、器体１０の短手方向の幅が大きくなるのを防ぎ、住宅分電盤における導電バー１長手方向の大型化を避けることができる。
（実施形態２）
ところで、実施形態１の電気機器Ａでは器体１０の操作表示面１０ｃにおける設定スイッチ１６ａの位置は、表示部１３よりも上方にあるので、設定スイッチ１６ａを操作するときに、操作する手で表示部１３が隠れて、操作中には表示部１３が見え難くなってしまうことがあった。
【００３５】
そこで本実施形態では、図８に示すように、設定スイッチ１５ａを表示部１３よりも下方側に配設している。
【００３６】
これにより、設定スイッチ１５ａを操作するときにも、操作する手で表示部１３が隠れる虞が少なく、表示部１３の明滅から主幹開閉器４１の通電状態を容易に視認することができる。
（実施形態３）
本実施形態における基本構成は実施形態１又は２と共通するために共通する部分については同一の符号を付して説明を省略し、本実施形態の特徴となる部分についてのみ詳細に説明する。
【００３７】
本実施形態の電気機器Ａは、図９に示すように、分岐開閉器４２の負荷側の端子に接続される負荷を雷サージから保護する保護回路ブロック５０を収納する細長略矩形箱状の器体１０’と、器体１０’の長手方向に沿った側面に突設され、３つの導電バー１にそれぞれ各別に接続される３つの端子片１１ａ，１１ｂ，１１ｃとを備えた避雷器として構成されている。端子片１１ａ、１１ｃは、導電バー１を介して主幹開閉器４１の負荷側の電圧極端子４１ｂ，４１ｄに接続し、端子片１１ｂは、導電バー１を介して主幹開閉器４１の負荷側の中性極端子４１ｃに接続する。
【００３８】
保護回路ブロック５０は、図１０に示すように、端子片１１ａ，１１ｂ，１１ｃにそれぞれ一端が接続されるヒューズａ，ｂ，ｃと、一端が接地されたギャップＧと、ヒューズａ，ｂ，ｃの他端側とギャップＧの間に接続されるサージ吸収素子Ｚ１，Ｚ２，Ｚ３と、サージ吸収素子Ｚ１，Ｚ２に並列接続されるサージ吸収素子Ｚ４及び発光ダイオードＤ１と、サージ吸収素子Ｚ２，Ｚ３に並列接続されるサージ吸収素子Ｚ５及び発光ダイオードＤ２とを備えている。
【００３９】
ここで上述の保護回路ブロック５０の動作について簡単に説明する。
【００４０】
雷サージが侵入していない通常状態では、ヒューズａ（ｃ）→発光ダイオードＤ１（Ｄ２）→ヒューズｂという順路で電流が流れて発光ダイオードＤ１，Ｄ２が点灯する。そして、雷サージが侵入すると、ヒューズａ（ｃ，ｂ）→サージ吸収素子Ｚ１（Ｚ３，Ｚ２）→ギャップＧという順路で放電される。つまり、各極間のサージをサージ吸収素子Ｚ４，Ｚ５で吸収し、ギャップＧによる放電をサージ吸収素子Ｚ１，Ｚ２，Ｚ３で停止するようにしているのである。
【００４１】
上述の発光ダイオードＤ１，Ｄ２は、器体１０’の前面側に形成された露出孔１８，１８から露出されるように配設されており、発光ダイオードＤ１，Ｄ２の点滅から、接続片１１ａ，１１ｂ間および接続片１１ｃ，１１ｂ間に通常状態で電流が流れているか否かを視認することができる。
【００４２】
本実施形態では電気機器Ａを避雷器として構成したことで、雷によるサージから負荷を保護することができる。
【００４３】
【発明の効果】
請求項１の発明は、主幹開閉器と、主幹開閉器の負荷側に接続される複数の導電バーと、導電バー長手方向に略直交する方向の導電バーを間に挟んだ両側で、導電バー長手方向に沿って並設され、前記複数の導電バーのうち何れか少なくとも２つに接続する分岐開閉器とを備えた住宅分電盤内に配設される住宅分電盤用電気機器であって、主幹開閉器の負荷側に流れる電流に応じて所望の動作を行う回路部を収納して、長手方向を前記導電バー長手方向と略直交させて配置される器体と、器体の長手方向に沿った側面から長手方向略中央に隙間を空けて前記側面と略垂直な方向の外側に膨出させた２つの膨出部と、器体の長手方向に沿った側面の前記隙間から突設され、前記複数の導電バーのうちの何れか少なくとも２つにそれぞれ各別に接続される端子と、主幹開閉器の負荷側に流れる電流を検知する電流検知手段と、器体表面の長手方向に沿って並設された複数の発光素子とを備え、回路部は電流検知手段の検知結果に応じて前記複数の発光素子を明滅させて主幹開閉器の通電状態を表示するものであって、電流検知手段の検知結果から主幹開閉器の負荷側に流れる電流の値を把握し、複数の発光素子のうち、前記電流の値の基準電流値に対する割合に応じた個数分だけ発光させるとともに、操作部が操作されることにより前記基準電流値を可変する設定手段を備え、前記操作部を複数の発光素子に対して器体の長手方向に沿って並設したので、器体の長手方向が導電バー長手方向と略直交し、端子が導電バーの長手方向一端に直接接続されるように器体を配置することによって、従来例のように導電バーから離れた位置に収納スペースを設けることなく住宅分電盤に収納することができ、住宅分電盤における少なくとも導電バー長手方向の小型化を容易にすることができるとともに、端子と導電バーとを直接接続して器体を導電バーに固定することによって、端子と導電バーの電気的な接続と器体の固定を同時に行え、且つ従来例のようにリード線を引き回すことがなく、複数の端子と導電バーとの接続関係も分かり易くなる為、施工性を向上することができ、さらに従来例のように分岐開閉器が配設されるスペースに配置され、導電バーを間に挟んだ両側で分岐開閉器の数を異ならせることがないので、住宅分電盤の負荷バランスを合わせ易くすることができるという効果がある。また、複数の発光素子の明滅から主幹開閉器の通電状態を容易に視認することができるとともに、複数の発光素子を器体の長手方向に沿って並設したことによって、器体の短手方向の幅が大きくなるのを防ぎ、その結果、住宅分電盤における導電バーの長手方向の大型化を避けることができるという効果がある。さらに、例えば操作部を操作して設定手段により基準電流値を主幹開閉器の定格電流値とすることで、複数の発光素子を見て発光している個数から主幹開閉器に流れる電流値を定格電流値に対する割合で容易に把握することができるとともに、操作部を複数の発光素子に対して器体の長手方向に沿って並設したことによって、器体の短手方向の幅が大きくなるのを防ぎ、その結果、住宅分電盤における導電バー長手方向の大型化を避けることができるという効果がある。
【００４４】
請求項２の発明は、器体は、複数の導電バーがその長手方向が天井面と略平行な方向に沿うように壁面に取着される住宅分電盤内に配設され、設定手段の操作部を端子よりも導電バーの長手方向と略直交する方向における床側に配設したので、住宅分電盤を壁面における天井側の高い部位に取着したときにも、操作部を容易に操作することができるという効果がある。
【００４５】
請求項３の発明は、設定手段の操作部を複数の発光素子よりも導電バーの長手方向と略直交する方向における床側に配設したので、操作部を操作するときにも、操作する手で複数の発光素子が隠れる虞が少なく、複数の発光素子の明滅から主幹開閉器の通電状態を容易に視認することができるという効果がある。
【００４６】
請求項４の発明は、請求項１〜３の何れかに記載の住宅分電盤用電気機器を備えた住宅分電盤であって、主幹開閉器と、主幹開閉器の負荷側に接続される複数の導電バーと、導電バー長手方向に略直交する方向の導電バーを間に挟んだ両側で、導電バー長手方向に沿って並設され、前記複数の導電バーのうち何れか少なくとも２つに接続する分岐開閉器と、前記各開閉器及び複数の導電バー並びに住宅分電盤用電気機器を収納配設する一面を開口した箱体と、前記各開閉器の操作ハンドルを露出させる窓孔、住宅分電盤用電気機器の複数の発光素子を露見させる表示孔を有して箱体の開口面に取着されるカバーとを備えたので、カバーを取り外すことなくカバーの表示孔から複数の発光素子を見ることができ、複数の発光素子の明滅から主幹開閉器の通電状態を容易に視認することができるという効果がある。
【図面の簡単な説明】
【図１】実施形態１の住宅分電盤を示す分解斜視図である。
【図２】同上の住宅分電盤用電気機器の斜視図である。
【図３】同上の正面図である。
【図４】同上の住宅分電盤の概略回路構成図である。
【図５】同上の住宅分電盤の要部分解斜視図である。
【図６】同上のカバーを取り外したときの住宅分電盤の正面図である。
【図７】同上のカバーの外蓋を開けたときの住宅分電盤の正面図である。
【図８】実施形態２を示す住宅分電盤用電気機器の正面図である。
【図９】実施形態３を示す住宅分電盤用電気機器の斜視図である。
【図１０】同上の住宅分電盤用電気機器の内部概略回路構成図である。
【図１１】従来例を示す住宅分電盤用電気機器を備えた住宅分電盤の正面図である。
【符号の説明】
１  導電バー
１０  器体
１３  表示部
１６ａ  設定スイッチ
３０  筐体
３０ａ  ボディ
３０ｂ  カバー
４１  主幹開閉器
４２  分岐開閉器
Ａ  住宅分電盤用電気機器
【図１】
0003997708.tif 000002
【図２】
0003997708.tif 000003
【図３】
0003997708.tif 000004
【図４】
0003997708.tif 000005
【図５】
0003997708.tif 000006
【図６】
0003997708.tif 000007
【図７】
0003997708.tif 000008
【図８】
0003997708.tif 000009
【図９】
0003997708.tif 000010
【図１０】
0003997708.tif 000011
【図１１】
0003997708.tif 000012